(57)【要約】【課題】操作部材を互いに直交する２方向へ揺動操作したときの検出タイミングを等しくすることができる多方向入力装置を提供する。【解決手段】操作ノブ２とホルダ６および駆動体７等からなる操作部材を下カバー５上に互いに直交するＸ方向およびＹ方向へ揺動可能に支持し、Ｙ方向に長い開口１５ａを有する第１スライダ１５とＸ方向に長い開口１６ａを有する第２スライダ１６とをそれぞれの開口１５ａ，１６ａが直交するように積層配置する。そして駆動体７から突出する係合突部１２を両開口１５ａ，１６ａに挿通させ、この係合突部１２がＸ方向へ揺動したときにその駆動力を受ける第１スライダ１５の第１の当接部１５ｄと、係合突部１２がＹ方向へ揺動したときにその駆動力を受ける第２スライダ１６の第２の当接部１６ｄとを、いずれも操作部材の揺動支点Ｐから略等しい高さ位置に設定した。【選択図】図４
2007265671.tif 000002
【特許請求の範囲】
【請求項１】
支持部材上に互いに直交するＸ方向およびＹ方向へ揺動可能に支持された操作部材と、Ｙ方向に長い開口を有してＸ方向へ移動可能にガイドされた第１スライダと、Ｘ方向に長い開口を有してＹ方向へ移動可能にガイドされた第２スライダと、これら第１および第２の移動を検出する第１および第２の検出手段とを備え、前記第１スライダと前記第２スライダとをそれぞれの前記開口が平面的に重なるように積層配置すると共に、これら両開口に前記操作部材を挿通させた多方向入力装置であって、
前記第１スライダは前記開口の内壁面に前記操作部材のＸ方向の揺動操作力を受ける第１の当接部を有しており、前記第２スライダは前記開口の内壁面に前記操作部材のＹ方向の揺動操作力を受ける第２の当接部を有しており、これら第１および第２の当接部が前記操作部材の揺動支点から略等しい高さ位置に設定されていることを特徴とする多方向入力装置。
【請求項２】
請求項１の記載において、前記第１スライダと前記第２スライダはそれぞれ前記開口を包囲するように連続する枠状部を有しており、この枠状部の長辺側と短辺側を厚み方向に段違いに形成すると共に、前記第１および第２の当接部を前記枠状部の長辺側の内壁面に設定したことを特徴とする多方向入力装置。
【請求項３】
請求項２の記載において、前記第１スライダと前記第２スライダとが互いに天地を逆にした同一形状の樹脂成型品からなり、これら樹脂成型品に前記枠状部の長辺側から外側へ突出する腕部を形成し、この腕部によって前記第１および第２の検出手段が動作されるようにしたことを特徴とする多方向入力装置。
【発明の詳細な説明】
【技術分野】
【０００１】
本発明は、操作部材を互いに直交する２方向へ選択的に揺動操作することによって入力が可能な多方向入力装置に係り、特に、操作部材の揺動操作を積層配置された上下２段のスライダで直線運動に変換するようにした多方向入力装置に関するものである。
【背景技術】
【０００２】
従来より、開口を有する２つのスライダをそれぞれの開口が直交するように積層配置し、これらスライダの開口に挿通した操作部材を平面上で平行移動させることにより、２つのスライダを互いに直交するＸ方向およびＹ方向へそれぞれ平行移動させるようにした多方向入力装置が知られている（例えば、特許文献１参照）。
【０００３】
図１４はかかる従来の多方向入力装置を模式的に示す平面図、図１５は図１４のＡ−Ａ線に沿う断面図、図１６は図１４のＢ−Ｂ線に沿う断面図であり、この多方向入力装置は、上下に積層配置された第１および第２スライダ１００，１０１と、これらスライダ１００，１０１を駆動する操作部材１０２と、両スライダ１００，１０１の移動を検出する一対の検出手段（図示せず）とを備えている。上段側の第１スライダ１００はＹ方向を長辺とする開口１００ａを有しており、この第１スライダ１００はＸ方向へ移動可能にガイドされている。下段側の第２スライダ１０１はＸ方向を長辺とする開口１０１ａを有しており、この第２スライダ１０１はＹ方向へ移動可能にガイドされている。すなわち、第１および第２スライダ１００，１０１はそれぞれの開口１００ａ，１０１ａが互いに直交するように積層配置されており、これら開口１００ａ，１０１ａに操作部材１０２が挿通されている。この操作部材１０２は支持部材１０３上に平行移動可能に載置されており、両スライダ１００，１０１と支持部材１０３との間に可変抵抗器等からなる検出手段がそれぞれ設けられている。
【０００４】
このように概略構成された多方向入力装置において、図１５に示すように、操作部材１０２をＸ方向へ平行移動させると、その駆動力がＹ方向に長い開口１００ａの長辺側内壁面で受けられて第１スライダ１００に伝達されるため、第１スライダ１００が操作部材１０２と共にＸ方向へ平行移動し、第１スライダ１００の移動が一方の検出手段によって検出される。この場合、操作部材１０２は第２スライダ１０１のＸ方向に長い開口１０１ａ内をＸ方向へ移動するため、第２スライダ１０１は操作部材１０２からの駆動力を受けることなく停止したままである。また、図１６に示すように、操作部材１０２をＹ方向へ平行移動させると、その駆動力がＸ方向に長い開口１０１ａの長辺側内壁面で受けられて第２スライダ１０１に伝達されるため、第２スライダ１０１が操作部材１０２と共にＹ方向へ平行移動し、第２スライダ１０１の移動が他方の検出手段によって検出される。この場合、操作部材１０２は第１スライダ１００のＹ方向に長い開口１００ａ内をＹ方向へ移動するため、第１スライダ１００は操作部材１０２からの駆動力を受けることなく停止したままである。
【特許文献１】特開平５−３２４１８４号公報
【発明の開示】
【発明が解決しようとする課題】
【０００５】
前述した従来の多方向入力装置のように、上下に積層配置された第１および第２スライダ１００，１０１が操作部材１０２の平行移動によって駆動されるものにおいては、操作部材１０２のＸ方向およびＹ方向の移動量に対して上段側の第１スライダ１００と下段側の第２スライダ１０１が同じように駆動されるため、第１および第２スライダ１００，１０１によって動作される両検出手段の検出タイミングがずれるという問題は発生しない。
【０００６】
しかしながら、車載用電気機器等の分野では操作部材を揺動操作するタイプの多方向入力装置も要望されており、このように操作部材１０２を支持部材１０３上に揺動可能に支持した場合、両検出手段の検出タイミングに差が出るという問題が発生する。これを図１７および図１８に基づいて説明すると、図１７に示すように、操作部材１０２をＸ方向へ揺動操作させたとき、その駆動力は上段側の第１スライダ１００に形成された開口１００ａの長辺側内壁面の上端当接部１００ｂで受けられるが、図１８に示すように、操作部材１０２をＹ方向へ揺動操作させたとき、その駆動力は下段側の第２スライダ１０１に形成された開口１０１ａの長辺側内壁面の上端当接部１０１ｂで受けられ、上端当接部１００ｂ，１０１ｂの操作部材１０２の揺動支点Ｐからの高さが第１スライダ１００と第２スライダ１０１とで大きく異なることになる。その結果、操作部材１０２の単位揺動角度当たりの第１および第２スライダ１００，１０１のスライド移動量が同じにならず、操作部材１０２をＸ方向およびＹ方向へそれぞれ同じ角度だけ揺動操作したにも拘わらず、揺動支点Ｐから遠い方の第１スライダ１００が揺動支点Ｐに近い方の第２スライダ１０１よりも大きく移動してしまい、第１および第２スライダ１００，１０１の移動を検出する両検出手段の検出タイミングに差が出ることになる。
【０００７】
本発明は、このような従来技術の実情に鑑みてなされたもので、その目的は、操作部材を互いに直交する２方向へ揺動操作したときの検出タイミングを等しくすることができる多方向入力装置を提供することにある。
【課題を解決するための手段】
【０００８】
上記の目的を達成するために、本発明は、支持部材上に互いに直交するＸ方向およびＹ方向へ揺動可能に支持された操作部材と、Ｙ方向に長い開口を有してＸ方向へ移動可能にガイドされた第１スライダと、Ｘ方向に長い開口を有してＹ方向へ移動可能にガイドされた第２スライダと、これら第１および第２の移動を検出する第１および第２の検出手段とを備え、前記第１スライダと前記第２スライダとをそれぞれの前記開口が平面的に重なるように積層配置すると共に、これら両開口に前記操作部材を挿通させた多方向入力装置であって、前記第１スライダは前記開口の内壁面に前記操作部材のＸ方向の揺動操作力を受ける第１の当接部を有しており、前記第２スライダは前記開口の内壁面に前記操作部材のＹ方向の揺動操作力を受ける第２の当接部を有しており、これら第１および第２の当接部が前記操作部材の揺動支点から略等しい高さ位置に設定されている構成とした。
【０００９】
このように構成された多方向入力装置によれば、操作部材を互いに直交するＸ方向およびＹ方向へ揺動操作したときの単位揺動角度当たりの第１スライダと第２スライダの移動量が同じになるため、両スライダの移動量を検出する第１および第２の検出手段の検出タイミングを等しくすることができる。
【００１０】
上記の構成において、第１スライダと第２スライダはそれぞれ開口を包囲するように連続する枠状部を有しており、この枠状部の長辺側と短辺側を厚み方向に段違いに形成すると共に、第１および第２の当接部を枠状部の長辺側の内壁面に設定することが好ましい。この場合において、第１スライダと第２スライダとが互いに天地を逆にした同一形状の樹脂成型品からなり、これら樹脂成型品に枠状部の長辺側から外側へ突出する腕部を形成し、この腕部によって第１および第２の検出手段が動作されるようにすると、共通の樹脂成型品を第１スライダおよび第２スライダとして用いることでコストの低減化が図れる。
【発明の効果】
【００１１】
本発明の多方向入力装置では、操作部材のＸ方向の揺動操作力を受ける第１スライダの当接部とＹ方向の揺動操作力を受ける第２スライダの当接部とが揺動支点から略等しい高さ位置に設定されており、操作部材をＸ方向およびＹ方向へ揺動操作したときの単位揺動角度当たりの第１スライダと第２スライダの移動量が同じになるため、両スライダの移動量を検出する第１および第２の検出手段の検出タイミングを等しくすることができる。
【発明を実施するための最良の形態】
【００１２】
発明の実施の形態について図面を参照して説明すると、図１は実施形態例に係るコントロールユニットの斜視図、図２は図１から操作ノブと上カバーを取り除いた斜視図、図３は図２のIII−III線に沿う断面図、図４は図２のIV−IV線に沿う断面図、図５は該コントロールユニットの分解斜視図、図６は該コントロールユニットに備えられる多方向入力装置の一部を上カバーの下方から見た斜視図、図７は該多方向入力装置の要部を示す分解斜視図、図８〜図１０は該多方向入力装置の動作説明図である。
【００１３】
本実施形態例に係るコントロールユニットは空調装置や音響装置やナビゲーションシステム等の車載用電気機器を１台で集中的に制御するものであり、このコントロールユニットは、車内のセンターコンソール等に取り付けられる筐体１と、この筐体１から突出する操作ノブ２とを備えている。筐体１は、上下を開口した中空構造のケース３と、ケース３の上部開口端を蓋閉する上カバー４と、ケース３の下部開口端を蓋閉する下カバー５によって構成されており、これらは全て合成樹脂で成形されている。
【００１４】
ケース３の内部に下面を閉塞した円筒状のホルダ６が配置されており、このホルダ６の上部開放端に駆動体７がねじ８を用いて一体化されている。なお、本実施形態例では、ホルダ６の内部に図示せぬ駆動モータ等を収納可能とするために別体の駆動体７を用いているが、このような収納空間を必要としない場合はホルダ６と駆動体７を一体成形品で構成しても良い。図３と図４に示すように、ホルダ６の下面中央に突起６ａが形成されており、この突起６ａは下カバー５に形成されたすり鉢状の凹部５ａに挿入されている。すなわち、ホルダ６は突起６ａと凹部５ａの係合部分を揺動支点Ｐとして下カバー５上に揺動可能に支持されている。ホルダ６の上部外周面には一対の駆動受け６ｂが形成されており、これら駆動受け６ｂにそれぞれスプリング９を介して駆動棒１０が挿入されている。各駆動棒１０の上端は上カバー４の内底面に固着したカム部材１１の底面に圧接されており、図示せぬが、カム部材１１の底面には中央の最深部から外側へ向かって漸次浅くなるすり鉢状のカム面が形成されている。
【００１５】
駆動体７には平面視十字状の係合突部１２が突設されており、この係合突部１２の４つの外壁面には凸部１２ａが突設されている。係合突部１２は上カバー４に穿設された平面視十字状の貫通孔４ａを挿通して外部へ突出しており、上カバー４上に配置された操作ノブ２が中継部材１３を介して係合突部１２に連結されている。すなわち、操作ノブ２と駆動体７およびホルダ６は操作者によって揺動操作される操作部材を構成しており、係合突部１２と貫通孔４ａの十字形状によって操作部材の揺動方向は互いに直交する２方向（Ｘ方向およびＹ方向）へ規制されている。
【００１６】
図６に示すように、上カバー４の内底面には貫通孔４ａを包囲するように４つのガイド部材１４が設けられており、これらガイド部材１４は貫通孔４ａを原点とするＸ−Ｙ軸上に配置されている。各ガイド部材１４は二股状に形成されており、Ｘ軸上で対向する２つのガイド部材１４によって第１スライダ１５がＸ方向へ移動可能に支持され、Ｙ軸上で対向する残り２つのガイド部材１４によって第２スライダ１６がＹ方向へ移動可能に支持されている。図７に示すように、第１スライダ１５は、Ｙ方向に長い開口１５ａを包囲する枠状部１５ｂと、枠状部１５ｂの相対向する長辺中央から外側へ延びる一対の腕部１５ｃとを有しており、これら腕部１５ｃが対応するガイド部材１４にスライド可能に挟持されている。枠状部１５ｂはＹ方向へ延びる両長辺に対してＸ方向へ延びる両短辺が厚み相当分だけ上方に位置する段違い形状に形成されており、下方に位置する両長辺の内壁面が係合突部１２からの駆動力を受ける第１の当接部１５ｄとなっている。第２スライダ１６は、Ｘ方向に長い開口１６ａを包囲する枠状部１６ｂと、枠状部１６ｂの相対向する長辺中央から外側へ延びる一対の腕部１６ｃとを有しており、これら腕部１６ｃが対応するガイド部材１４にスライド可能に挟持されている。枠状部１６ｂはＸ方向へ延びる両長辺に対してＹ方向へ延びる両短辺が厚み相当分だけ下方に位置する段違い形状に形成されており、上方に位置する両長辺の内壁面が係合突部１２からの駆動力を受ける第２の当接部１６ｄとなっている。
【００１７】
これら第１スライダ１５と第２スライダ１６は合成樹脂を用いて成形された同一形状の共通部品であるが、使用に際しては天地を逆にした状態でガイド部材１４に組み込まれ、第１スライダ１５の枠体部１５ｂと第２スライダ１６の枠体部１５ｂとが平面的にオーバーラップするように積層配置されている。このように同一形状の第１スライダ１５と第２スライダ１６を天地逆にして積層配置することにより、第１スライダ１５の第１の当接部１５ｄと第２スライダ１６の第２の当接部１６ｄとが同一平面上に位置することになり、第１スライダ１５の枠体部１５ｂに形成された開口１５ａと第２スライダ１６の枠体部１６ｂに形成された開口１６ａとが互いに直交した状態でオーバーラップされる。
【００１８】
図３と図４に示すように、駆動体７の係合突部１２は第１および第２スライダ１５，１６の開口１５ａ，１６ａに挿通されており、係合突部１２からの駆動力が開口１５ａ，１６ａの長辺側内壁面（第１および第２の当接部１５ｄ，１６ｄ）で受けられることにより、両スライダ１５，１６は操作部材（操作ノブ２と駆動体７およびホルダ６）の揺動操作に伴ってＸ方向またはＹ方向へ選択的にスライド移動するようになっている。ここで、第１スライダ１５が係合突部１２からの駆動力を受けてＸ方向へスライド移動するとき、第２スライダ１６はその開口１６ａ内を係合突部１２が相対移動するだけで移動せず、第２スライダ１６が係合突部１２からの駆動力を受けてＹ方向へ移動するとき、第１スライダ１５はその開口１５ａ内を係合突部１２が相対移動するだけで移動しない。また、前述したように、第１の当接部１５ｄと第２の当接部１６ｄとが同一平面上に位置するようになっているため、第１の当接部１５ｄを含む平面から揺動支点Ｐに至る垂線の長さＨ（図３参照）と第２の当接部１６ｄを含む平面から揺動支点Ｐに至る垂線の長さＨ（図４参照）とは等しく設定され、換言すると、第１および第２の当接部１５ｄ，１６ｄが操作部材の揺動支点Ｐから等しい高さ位置に設定されることになる。
【００１９】
また、上カバー４の内底面には各ガイド部材１４を包囲するように枠状のプリント基板１７が固定されており、このプリント基板１７の裏面（下面）には４個のフォトインタラプタ１８が実装されている。このフォトインタラプタ１８は発光素子と受光素子（いずれも図示せず）が凹部１８ａを介して対向する光検出素子であり、各フォトインタラプタ１８も貫通孔４ａを原点とするＸ−Ｙ軸上に配置されている。図８に示すように、第１スライダ１５と第２スライダ１６がＸ方向およびＹ方向の中立位置にあるとき、各腕部１５ｃ，１６ｃの先端はそれぞれフォトインタラプタ１８の凹部１８ａ入口の不感帯内に侵入しており、各フォトインタラプタ１８の発光素子と受光素子間の光路は遮断されている。なお、第１スライダ１５の両腕部１５ｃとＸ軸上に配置された２つのフォトインタラプタ１８とによって第１スライダ１５の移動量を検出する第１の検出手段が構成され、第２スライダ１６の両腕部１６ｃとＹ軸上に配置された２つのフォトインタラプタ１８とによって第２１スライダ１６の移動量を検出する第２の検出手段が構成されている。
【００２０】
次に、このように構成されたコントロールユニットに備えられる多方向入力装置の動作について説明する。
【００２１】
図１と図３および図４は操作ノブ２に外力が作用していない非操作状態を示しており、操作部材の構成部品である操作体２と駆動体７およびホルダ６は鉛直方向を向いている。この非操作状態においては、駆動棒１０の上端はスプリング９の弾発力を受けてカム部材１１のカム面中央（最深部）に圧接されており、ホルダ６に一体化された駆動体７の係合突部１２は上カバー４に穿設された貫通孔４ａの中心に位置している。また、図８に示すように、係合突部１２がそれぞれ開口１５ａ，１６ａの長手方向中央に位置することにより、第１スライダ１５と第２スライダ１６はＸおよびＹ方向の中立位置にあり、各各腕部１５ｃ，１６ｃの先端はそれぞれフォトインタラプタ１８の凹部１８ａ入口の不感帯内に侵入している。したがって、フォトインタラプタ１８の発光素子と受光素子間の光路は遮断されておらず、全てのフォトインタラプタ１８からハイレベルの信号が出力される。
【００２２】
かかる非操作状態から操作者が操作ノブ２をＸ方向またはＹ方向へ揺動操作すると、ホルダ６が下カバー５上の揺動支点Ｐを支点として同方向へ揺動するため、駆動棒１０の上端がカム部材１１のカム面を中央の最深部から外側へ摺動する。その際、ホルダ６と一体の係合突部１２は貫通孔４ａの中心からＸ方向またはＹ方向へ揺動し、１つの凸部１２ａが貫通孔４ａの外縁凹部に侵入して凹凸係合した時点で、係合突部１２のそれ以上の揺動動作が規制される。また、このように操作ノブ２の揺動操作に連動して係合突部１２が貫通孔４ａ内をＸ方向またはＹ方向へ移動すると、それに伴って第１スライダ１５または第２スライダ１６がガイド部材１４にガイドされながらスライド移動し、各フォトインタラプタ１８の１つが選択的にオン動作する。
【００２３】
いま、係合突部１２の揺動方向をＸ方向に沿う左右両側でＸ１，Ｘ２とし、Ｙ方向に沿う前後両側でＹ１，Ｙ２としたとき、係合突部１２が図８に示す中立位置からＸ２方向（右側）へ揺動すると、係合突部１２はＸ方向に長い開口１６ａを相対移動するだけであるため、図９に示すように、第２スライダ１６は係合突部１２からの外力（揺動方向の駆動力）を受けることなく停止したままであるが、第１スライダ１５は係合突部１２からの外力をＸ２方向側の第１の当接部１５ｄで受けてＸ２方向へスライド移動する。この場合、第１スライダ１５はその腕部１５ｃがガイド部材１４にガイドされながらＸ２方向へ移動し、それに伴って腕部１５ｃの先端がＸ２方向に位置するフォトインタラプタ１８の凹部１８ａ内を移動する。そして、係合突部１２がＸ２方向の末端位置まで揺動した時点で、該フォトインタラプタ１８の発光素子と受光素子間の光路が腕部１５ｃの先端によって遮断されるため、このフォトインタラプタ１８からローレベルの信号が出力される。このとき、第２スライダ１６は係合突部１２からの外力を受けることなく停止したままであるため、Ｙ１−Ｙ２方向とＸ１方向に位置する残り３個のフォトインタラプタ１８から出力される信号はハイレベルのままである。係合突部１２が中立位置からＸ１方向（左側）へ揺動する場合も同様であり、この場合、第１スライダ１５が係合突部１２からの外力をＸ１方向側の第１の当接部１５ｄで受けてＸ１方向へスライド移動することにより、Ｘ１方向に位置するフォトインタラプタ１８からローレベルの信号が出力され、残り３個のフォトインタラプタ１８から出力される信号はハイレベルのままとなる。
【００２４】
一方、係合突部１２が図８に示す中立位置からＹ１方向（前側）へ揺動すると、係合突部１２はＹ方向に長い開口１５ａを相対移動するだけであるため、図１０に示すように、第１スライダ１５は係合突部１２からの外力を受けることなく停止したままであるが、第２スライダ１６は係合突部１２からの外力をＹ１方向側の第２の当接部１６ｄで受けてＹ１方向へスライド移動する。この場合、第２スライダ１６はその腕部１６ｃがガイド部材１４にガイドされながらＹ１方向へ移動し、それに伴って腕部１６ｃの先端がＹ１方向に位置するフォトインタラプタ１８の凹部１８ａ内を移動する。そして、係合突部１２がＹ１方向の末端位置まで揺動した時点で、該フォトインタラプタ１８の発光素子と受光素子間の光路が腕部１６ｃの先端によって遮断されるため、このフォトインタラプタ１８からローレベルの信号が出力される。このとき、第１スライダ１５は係合突部１２からの外力を受けることなく停止したままであるため、Ｘ１−Ｘ２方向とＹ２方向に位置する残り３個のフォトインタラプタ１８から出力される信号はハイレベルのままである。係合突部１２が中立位置からＹ２方向（後側）へ移動する場合も同様であり、この場合、第２スライダ１６が係合突部１２からの外力をＹ２方向側の第２の当接部１６ｄで受けてＹ２方向へスライド移動することにより、Ｙ２方向に位置するフォトインタラプタ１８からローレベルの信号が出力され、残り３個のフォトインタラプタ１８から出力される信号はハイレベルのままとなる。
【００２５】
このように操作ノブ２を互いに直交するＸおよびＹ方向のいずれか一方向へ選択的に揺動操作すると、その操作方向に位置するフォトインタラプタ１８の出力信号のみがハイレベルからローレベルへと変化するため、４個のフォトインタラプタ１８から出力される信号に基づいて操作ノブ２の操作方向を認識することができる。その際、第１および第２の当接部１５ｄ，１６ｄが係合突部１２（操作部材）の揺動支点Ｐから等しい高さ位置に設定されているため、操作ノブ２をＸ（Ｘ１−Ｘ２）方向およびＹ（Ｙ１−Ｙ２）方向へ揺動操作したときの単位揺動角度当たりの第１スライダ１５と第２スライダ１６の移動量が同じになり、４個のフォトインタラプタ１８の動作タイミングにずれが生じることはない。なお、操作ノブ２に対する揺動操作力を除去すると、スプリング９の弾発力を受けて駆動棒１０の上端がカム部材１１のカム面中央へ戻るため、操作ノブ２とホルダ６および駆動体７を含む操作部材は鉛直姿勢となり、係合突部１２や第１および第２スライダ１５，１６が中立位置に自動復帰する。
【００２６】
このように本実施形態例に係る多方向入力装置は、操作部材を構成する係合突部１２がＸ方向へ揺動したときにその駆動力を受ける第１スライダ１５の第１の当接部１５ｄと、係合突部１２がＹ方向へ揺動したときにその駆動力を受ける第２スライダ１６の第２の当接部１６ｄとが、いずれも操作部材の揺動支点Ｐから略等しい高さ位置に設定されており、操作部材をＸ方向およびＹ方向へ揺動操作したときの単位揺動角度当たりの第１スライダ１５と第２スライダ１６の移動量が同じになるため、両スライダ１５，１６の移動量を検出する４個のフォトインタラプタ１８の検出タイミングを等しくすることができる。また、第１スライダ１５と第２スライダ１６を同一形状の樹脂成型品となし、これら第１および第２スライダ１５，１６を互いに天地逆にした状態でガイド部材１４に組み込むようにしたので、部品を共通化してコストダウンが図られている。
【００２７】
図１１は第１および第２スライダの変形例を示す斜視図、図１２は図１１のＡ−Ａ線に沿う断面図、図１３は図１１のＢ−Ｂ線に沿う断面図であり、図１〜図１０に対応する部分には同一符号を付してある。
【００２８】
これらの図に示すように、第１および第２の当接部１５ｄ，１６ｄが操作部材の揺動支点Ｐから略等しい高さ位置に設定されていれば、枠状部１５ｂ，１６ｂや腕部１５ｃ，１６ｃ等を含む第１および第２スライダ１５，１６の全体形状は適宜変更可能である。
【図面の簡単な説明】
【００２９】
【図１】本発明の実施形態例に係るコントロールユニットの斜視図である。
【図２】図１から操作ノブと上カバーを取り除いた斜視図である。
【図３】図２のIII−III線に沿う断面図である。
【図４】図２のIV−IV線に沿う断面図である。
【図５】該コントロールユニットの分解斜視図である。
【図６】該コントロールユニットに備えられる多方向入力装置の一部を上カバーの下方から見た斜視図である。
【図７】該多方向入力装置の要部を示す分解斜視図である。
【図８】該多方向入力装置の動作説明図である。
【図９】該多方向入力装置の動作説明図である。
【図１０】該多方向入力装置の動作説明図である。
【図１１】第１および第２スライダの変形例を示す斜視図である。
【図１２】図１２のＡ−Ａ線に沿う断面図である。
【図１３】図１２のＢ−Ｂ線に沿う断面図である。
【図１４】従来例に係る多方向入力装置を模式的に示す平面図である。
【図１５】図１４のＡ−Ａ線に沿う断面図である。
【図１６】図１４のＢ−Ｂ線に沿う断面図である。
【図１７】従来技術の問題点を示す説明図である。
【図１８】従来技術の問題点を示す説明図である。
【符号の説明】
【００３０】
１  筐体
２  操作ノブ
３  ケース
４  上カバー
４ａ  貫通孔
５  下カバー（支持部材）
５ａ  凹部
６  ホルダ
６ａ  突起６ａ
７  駆動体
１２  係合突部
１４  ガイド部材
１５  第１スライダ
１５ａ  開口
１５ｂ  枠状部
１５ｃ  腕部
１５ｄ  第１の当接部
１６  第２スライダ
１６ａ  開口
１６ｂ  枠状部
１６ｃ  腕部
１６ｄ  第２の当接部
１７  プリント基板
１８  フォトインタラプタ
１８ａ  凹部
Ｐ  揺動支点
【図１】
2007265671.tif 000003
【図２】
2007265671.tif 000004
【図３】
2007265671.tif 000005
【図４】
2007265671.tif 000006
【図５】
2007265671.tif 000007
【図６】
2007265671.tif 000008
【図７】
2007265671.tif 000009
【図８】
2007265671.tif 000010
【図９】
2007265671.tif 000011
【図１０】
2007265671.tif 000012
【図１１】
2007265671.tif 000013
【図１２】
2007265671.tif 000014
【図１３】
2007265671.tif 000015
【図１４】
2007265671.tif 000016
【図１５】
2007265671.tif 000017
【図１６】
2007265671.tif 000018
【図１７】
2007265671.tif 000019
【図１８】
2007265671.tif 000020